(57)【特許請求の範囲】
【請求項１】
容器の上部には、組品本体が取り付けられ、
該組品本体は、該容器の上面に接続する弧状壁、側壁、垂直壁が連続して形成され、該側壁の上端に連続する天面壁とからなり、前記組品本体の上部には、両側壁に接続され垂直壁の上端より天面壁の下面へと連なる凹部隔壁により凹部が形成され、該凹部が捨て紙収納部を構成し、該捨て紙収納部には、所定幅を有し巻き出し可能であり、且つ所定長さで切断可能なロール状の捨て紙が収納可能であり、
前記組品本体の上部の該凹部の反対側には、両側壁に接続され天面壁の下面から垂下する垂直隔壁、該垂直隔壁の下端より弧状壁の上端へと略水平に連なる水平隔壁が形成されており、該水平隔壁はスコアにて囲われた開封予定部と、該開封予定部に設けたスコア引裂用タブとを有し、該開封予定部が小取出口を構成し、該小取出口が天面壁に連結された小蓋により覆われており、
円筒形状の該容器筒部（胴部）下部には、ヒンジキャップが打栓により取り付けられ、該ヒンジキャップは、該容器下部開口を覆う天壁と該天壁の外縁から垂下した外筒とからなり、該外筒にはヒンジを介して大蓋が連結され、該天壁の下面には内筒が垂下し、該内筒が容器筒部下部内面に密着し、該天壁にスコアにて囲われた開封予定部と、該開封予定部の外面に設けたスコア引裂用タブとを有し、該開封予定部が大取出口を構成していることを特徴とするガム収納容器。
【請求項２】
前記捨て紙収納部は、前記小取出口に隣接され、且つ、前記容器に設けられた凹部に設けられ、前記容器からのはみ出しを防止した請求項１に記載のガム収納容器。
【発明の詳細な説明】
【技術分野】
【０００１】
本発明は、個別に包装紙に包まれていない粒状ないしブロック状のガムの収納容器に関
するものであり、より詳しくは、巻き出し可能で所定長さで切断可能なロール状の捨て紙
を容器の一部に設けてなるガム収納容器に関する。
【背景技術】
【０００２】
従来、個別に包装紙に包まれているガムは、人が噛み終わった後のガムを捨てる際、個
別の包装紙に包んで捨てることができるようになっている。しかし、包装紙に包まれてい
ないガム、例えば、合成樹脂製の容器に粒状ないしブロック状のガムが複数個収納されて
いるような場合は、噛み終わった後のガムを捨て易いように、包んで捨てるための複数枚
の捨て紙が容器に収納されていて、人が容器内からガムを取り出し噛み終わった後、容器
内の捨て紙を取り出して噛み終わったガムを包んでゴミ箱などに捨てることになる。
【０００３】
この場合、人は噛み終わったガムを捨てる度に容器を開け、複数枚の捨て紙から必要枚
数を取り出し、再び容器内に複数枚の捨て紙を戻し容器を閉じる作業が必要となる。した
がって、上記の作業が面倒でもあり、さらに一度取り出した複数枚の捨て紙を容器内に戻
すために、衛生面からも好ましいものとは言えない。このような衛生面を考慮したガム容
器として下記の特許文献１が提案されている。  
【特許文献１】特開２００６−８９０５４号公報
【０００４】
この特許文献１に係るガム収納容器は、図６に示すように、複数個のガム５０が収納さ
れた容器５１と、複数枚の捨て紙５２が個々に取り出し可能に束ねられた捨て紙束５３と
を備え、この捨て紙束５３が複数個のガム５０と共に容器５１に収納されていて、さらに
この捨て紙束５３の一面に粘着層が設けられ、この粘着層に離型紙が添付されてなるもの
である。
【０００５】
このガム収納容器によれば、容器５１の蓋５４を開閉して本体５５内から粒状のガム５
０を取り出し噛み終わった後、蓋５４を開閉して本体５５内から捨て紙束５３を取り出し
て、離型紙を剥がし粘着層を裸出して、容器５１の外側に貼り付け、しかる後捨て紙束５
３から捨て紙５２を取って、噛み終わったガムを包んでゴミ箱などに捨てるようにされて
いる。したがって、一度容器５１の外側に捨て紙束５３を貼り付ければ、次回から噛み終
わったガムを捨てる際、容器５１の外側に貼り付けた捨て紙束５３から捨て紙５２を剥離
し、噛み終わったガムを捨てる度に容器５１を開閉したり、捨て紙束５３を容器５１内か
ら取り出したり戻したりする必要がなくなるというものである。
【発明の開示】
【発明が解決しようとする課題】
【０００６】
しかしながら、上記特許文献１のガム収納容器は、捨て紙５２の大きさが定型であるから、複数個のガム５０を同時に噛み終わって捨てる際、捨て紙一枚では包みきれない虞があり、また、捨て紙束５３は容器５１の外側に貼り付けているだけであるから、若干の外力により捨て紙束５３の全部あるいは一部が剥がれ落ち易く、そのような場合に捨て紙５２が不足することになる。一方、容器５１内からガム５０を取り出すには、本体５５から蓋５４を開閉して手指にて直接ガム５０を取り出すことになるから、衛生的でなく、特に他人にガム５０を勧める場合には抵抗感が強い。
【０００７】
そこで、本発明の目的は、噛み終わった後のガムを捨て紙で包みきれなかったり、数量
が不足することもなく、しかも内容物であるガムを常に衛生的に取り出すことができるガ
ム収納容器を提供することにある。
【課題を解決するための手段】
【０００８】
本発明は、上記目的を達成するために提案されたものであって、下記の構成からなることを特徴とするものである。
すなわち、本発明によれば、容器の上部には、組品本体が取り付けられ、
該組品本体は、該容器の上面に接続する弧状壁、側壁、垂直壁が連続して形成され、該側壁の上端に連続する天面壁とからなり、前記組品本体の上部には、両側壁に接続され垂直壁の上端より天面壁の下面へと連なる凹部隔壁により凹部が形成され、該凹部が捨て紙収納部を構成し、該捨て紙収納部には、所定幅を有し巻き出し可能であり、且つ所定長さで切断可能なロール状の捨て紙が収納可能であり、
前記組品本体の上部の該凹部の反対側には、両側壁に接続され天面壁の下面から垂下する垂直隔壁、該垂直隔壁の下端より弧状壁の上端へと略水平に連なる水平隔壁が形成されており、該水平隔壁はスコアにて囲われた開封予定部と、該開封予定部に設けたスコア引裂用タブとを有し、該開封予定部が小取出口を構成し、該小取出口が天面壁に連結された小蓋により覆われており、
円筒形状の該容器筒部（胴部）下部には、ヒンジキャップが打栓により取り付けられ、該ヒンジキャップは、該容器下部開口を覆う天壁と該天壁の外縁から垂下した外筒とからなり、該外筒にはヒンジを介して大蓋が連結され、該天壁の下面には内筒が垂下し、該内筒が容器筒部下部内面に密着し、該天壁にスコアにて囲われた開封予定部と、該開封予定部の外面に設けたスコア引裂用タブとを有し、該開封予定部が大取出口を構成していることを特徴とするガム収納容器が提供される。
【００１１】
また、本発明によれば、前記捨て紙収納部は、前記小取出口に隣接され、且つ、前記容器に設けられた凹部に設けられ、前記容器からのはみ出しを防止したガム収納容器が提供される。
【発明の効果】
【００１２】
本発明のガム収納容器は、取出口から取り出したガムを噛み終わった後、そのガムの大
きさに合わせて、捨て紙収納部のロール状の捨て紙を巻き出し切断し、その捨て紙でガム
を包み捨てることができる。したがって、噛み終わった後のガムを捨て紙で包みきれなか
ったり、枚数が不足することもなく、しかも、捨て紙を取り出すのに常に容器を開閉する
必要がないので衛生的である効果がある。
【００１３】
また、本発明のガム収納容器は、ガムを他人にあげる場合などに小出しにしたい場合は
、容器上部の小蓋を開閉して小取出口からガムを直接小出しにすれば良いし、一度に多く
のガムを取り出すには、容器下部の大蓋を開閉して大取出口から手指などでこぼさないよ
うにガムを取り出すことができる。したがって、上記効果に加えて、必要に応じて、小取
出口から手指など使わないで衛生的にガムを小出しにすることが出来、大取出口から一度
に多くのガムを取り出すこともできる効果がある。
【００１４】
また、本発明のガム収納容器は、小取出口及び大取出口を薄肉状のスコアにて囲われた開封予定部の構成にすることにより、タンパーエビデント性を持たせることが出来、使用に際してはそれぞれのスコア引裂用タブにて、それぞれの開封予定部を選択的に開封して、小取出口及び大取出口のいずれか一方のみを使用してもよいし、あるいは小取出口及び大取出口を開封して双方とも使用出来る。したがって、上記効果に加えて必要に応じて、小取出口のみ、大取出口のみ、小取出口及び大取出口の双方を選択的に使用できる効果がある。
【００１５】
また、本発明のガム収納容器は、捨て紙収納部が容器の凹み部内に設けられ、容器外形
からはみ出していないロール状の捨て紙は、外力の影響を受けづらく、若干の外力では容器から脱落しない。したがって、上記効果に加えて、ロール状の捨て紙の脱落による紙不足の心配がない効果がある。
【発明を実施するための最良の形態】
【００１６】
以下に、図面を参照して本発明を実施するための最良の形態を説明する。
【実施例１】
【００１７】
図１は本発明の実施の形態を示すガム収納容器の正面図、図２は図１のII−II線に沿う
側断面図、図３は本発明の実施の形態を示すガム収納容器の平面図、図４は同じくその側
面図、図５は同じくその底面図である。
これらの図面において、ガム収納容器１は、所定幅を有し巻き出し可能であり、且つ所
定長さで切断可能なロール状の捨て紙２を収納する捨て紙収納部３と、粒状ないしブロッ
ク状のガムＧの取り出しが可能な取出口４とが容器５上部に形成されてなるものである。
【００１８】
前記容器５は、ガムＧなどの噛み終わった後、紙などに包みゴミ箱などに捨てるような食品を収納出来ると共に取出しすることが出来、且つ容器５のガムＧの収納部分とは別に捨て紙収納部３を設け得るものであれば、形状などに特に限定がない。材質も特に限定がないが、製作容易性やコスト面から通常合成樹脂が採用される。
【００１９】
前記取出口４は、上下両方からガムの取出しが可能で、容器５上部に形成されガムＧが小出しに取出し可能な小取出口４Ａと、容器５下部にはガムＧを複数同時に取出し可能な大取出口４Ｂとに分けて構成されている。このように構成することにより、必要に応じて、小取出口４Ａからは手指など使わないで衛生的にガムＧを小出しにすることが出来、大取出口４Ｂからは、容器を傾けたり、手指などを使用して一度に多くのガムＧを取り出すことができる。なお、これら小取出口４Ａ及び大取出口４Ｂは、それぞれ小蓋６及び大蓋７にて覆われている。
【００２０】
前記容器５は、その上面に前記捨て紙収納部３と前記小取出口４Ａとが設けられている組品本体１０が取り付けられ、容器５の下部には大取出口４Ｂが設けられているヒンジキャップ２９が取り付けられている。なお、容器５の形状は、実施例１では、手指にてガム収納容器１を持ち易くするために容器５胴部の中間部１１は凹んでおり、また容器５胴部の下部は図１を下方から見て円筒形状に、上部は図１を上方から見てトンネル形状になっているが、これに限定されるものではない。
組品本体１０は、容器５の上面に接続する弧状壁８、側壁１８、垂直壁１９及び側壁１８から連続する天面壁１３とからなり、その上部には、両側壁１８に接続され垂直壁１９の上端より天面壁１３の下面へと連なる凹部隔壁１５によって形成される凹部１４があり、そこに捨て紙収納部３が設けられる。そして上部のその反対側には、両側壁１８に接続され天面壁１３の下面から垂下する垂直隔壁１６Ａ、その下端より弧状壁８の上端へと略水平に連なる水平隔壁１６Ｂが形成されており、そこに小取出口４Ａが設けられる。
【００２１】
前記捨て紙収納部３は、組品本体１０の上部に形成された凹部１４内に設けられ、この凹部１４を形成する凹部隔壁１５に回転自在にされたロール状捨て紙２が収納されている。このロール状捨て紙２は、紙収納部３の両側壁１８の中央部から僅かにせり出した状態の軸支部３ａによって側面から支持されていても良い。また、このロール状捨て紙２は、所定の幅、例えば、２から５個程度の噛み終えたガムＧを包むのに充分な幅を有し、さらに、所定の長さ、例えば、ガム収納容器１内のガムＧ全てを１個、１個噛み終えたものを１個ずつ包んでも足りる長さを有しているものが好ましい。
【００２２】
なお、この捨て紙収納部３に収納されている捨て紙２は、凹部１４の上方に張り出した前記組品本体１１の天面壁１３の先端部を利用したカッター１７にて適宜切断して利用すれば良い。天面壁１３の先端部に形成されるカッター１７は捨て紙２の切断を容易にするために鋸歯状に形成されていてもよい。このロール状の捨て紙２には、所定の長さごとに巾方向に切断しやすくするための弱化部が形成されていてもよい。また、容器５と一体になっている組品本体１０の凹部１４内に、捨て紙収納部３が設けられているから、その中のロール状の捨て紙２は、容器５外形からはみ出ることが無く、若干の外力では容器５から脱落することがない。
【００２３】
前記取出口４の小取出口４Ａは、水平隔壁１６Ｂにスコア２０にて囲われた開封予定部２１と、該開封予定部２１に設けたスコア引裂用タブ２２とをそれぞれ有し、開封予定部２１による開口２１ａの面積は、一度にガムＧ１個分を取り出せるのに都合の良い大きさになっている。したがって、この小取出口４Ａは、スコア引裂用タブ２２を引き、スコア２０を引き裂き開封予定部２１を取り除けば、手指を使用せずにガムＧを開封予定部２１の開口２１ａから小出しにすることが出来、他人にガムを分け与える時など衛生的である。そして、この小取出口４Ａは、軸２３により開閉自在に天面壁１３に取り付けられた小蓋６により覆われている。なお、図２ないし図４中の２４は、小蓋６を開閉し易くするための鍔である。
【００２４】
一方、容器５の下部開口には、前記大取出口４Ｂが設けられているヒンジキャップ２９が打栓により密封状態で取り付けられる。すなわち、ヒンジキャップ２９は、天壁３０とその外縁から垂下した外筒３１とからなり、さらに、その外筒３１と前記大蓋７とがヒンジ３２により開閉自在に連結されている。そして、ヒンジキャップ２９は、その天壁３０の下面に内筒３３が垂下され、外筒３１と相俟って打栓用窪み３４を形成し、容器５の筒部１０の下部開口に打栓用窪み３４をあてがい打栓されて取り付けられる。さらに、その天壁３０にスコア３５にて囲われた開封予定部３６と、該開封予定部３６に設けたスコア引裂用タブ３７とをそれぞれ有し、開封予定部３６による開口３６ａの面積は、手指などを入れガムＧ複数を同時に取り出せるのに都合の良い大きさになっている。したがって、このヒンジキャップ２９は、スコア引裂用タブ３７を引きスコア３５を引き裂き開封予定部３６を取り除けば、容器を傾けたり、手指などを使い、複数個のガムＧを開封予定部３６の開口３６ａから同時に取り出すことが出来る。なお、図２、４、５中の３８は、大蓋７を開閉し易くするための鍔である。
【００２５】
次に、図面を参照して、上記構成になるガム収納容器１の使用について説明する。
まず、ガム収納容器１内のガムＧを小出しにしたい場合は、鍔２４に手指を掛け小蓋６
を開き、小取出口４Ａのスコア引裂用タブ２２を引き、スコア２０を引き裂き開封予定部
２１を取り除いて開封し、その開口２１ａからガムＧを手指を使わずに小出しにして噛む
ことが出来、さらに小蓋６により小取出口４Ａを覆い閉じる。ガムＧを噛み終えたら、捨
て紙収納部３のロール状の捨て紙２を所定長さ巻き出し、カッター１７にて切断して噛み
終えたガムＧを包みゴミ箱などに捨てることができる。
【００２６】
次に、ガム収納容器１内のガムＧを同時に複数個取り出したい場合は、鍔３８を用いて
大蓋７を開き、大取出口４Ｂのスコア引裂用タブ３７を引き、スコア３５を引裂き開封予
定部３６を取り除いて開封し、その開口３６ａからガムＧを複数個同時に取り出して噛む
ことが出来、さらに大蓋７により大取出口４Ｂを覆い閉じることができる。複数個のガム
Ｇを噛み終えたら、捨て紙収納部３のロール状捨て紙２を複数個分のガムＧを包めるだけ
の所定長さ巻き出し、カッター１７にて切断して噛み終えた複数個分のガムＧを包みゴミ
箱などに捨てることができる。なお、小取出口４Ａ及び大取出口４Ｂはいずれか一方のみを開封して利用することも、双方を開封して利用することも出来、いずれにするかはガムの消費者の自由である。
【００２７】
以上、本発明の実施例１を説明したが、具体的な構成はこれに限定されず、本発明の要
旨を逸脱しない範囲での変更は適宜可能であることは理解されるべきである。
【産業上の利用可能性】
【００２８】
本発明のガム収納容器は、包装紙に包まれていない粒状ないしブロック状のガムを噛み
終わって捨てる際、捨て紙を容易且つ衛生的に処理したいような場合に利用可能性があり
、特に容器内にある全てのガムにつき、噛み終わった後捨て紙にて大きさゆえに包みきれ
なかったり、量不足になることなく確実に包みたいような場合に高い利用可能性がある。
【図面の簡単な説明】
【００２９】
【図１】実施例１に示した本発明の実施の形態を示すガム収納容器の正面図である。
【図２】図１のII-II 線に沿う断面図である。
【図３】実施例１に示したガム収納容器の平面図である。
【図４】実施例１に示したガム収納容器の側面図である。
【図５】実施例１に示したガム収納容器の底面図である。
【図６】従来例の斜視図
【符号の説明】
【００３０】
１                        ガム収納容器
２，５２                  捨て紙
３                        捨て紙収納部
３ａ                      軸支部
４                        取出口
４Ａ                      小取出口
４Ｂ                      大取出口
５                        容器
６                        小蓋
７                        大蓋
８                        弧状壁
１０                      組品本体
１２                      筒部分
１３                      天面壁
１４                      凹部
１５ 凹部隔壁
１６Ａ 垂直隔壁
１６Ｂ 水平隔壁
１７                      カッター
１８                      側壁
１９                      垂直壁
２０，３５                スコア
２１，３６                開封予定部
２１ａ，３６ａ            開口
２２，３７                スコア引裂用タブ
２３                      軸
２４，３８                鍔
２９                      ヒンジキャップ
３０                      天壁
３１                      外筒
３２                      ヒンジ
３３                      内筒
３４                      打栓用窪み
５０，Ｇ                  ガム
５１                      容器
５３                      捨て紙束
５４                      蓋
５５                      本体
【図１】
0005084489.tif 000002
【図３】
0005084489.tif 000003
【図４】
0005084489.tif 000004
【図５】
0005084489.tif 000005
【図６】
0005084489.tif 000006
【図２】
0005084489.tif 000007